(57)【要約】      （修正有）【課題】２種類の形態で使用可能な利便性の高いエコバッグを提供する。【解決手段】エコバッグ１は、内部に物品を収納可能に形成されたエコバッグ本体２と、エコバッグ本体の表側面３に設けられた一対の第１持手部材７ａ、７ｂと、エコバッグ本体の裏側面４に設けられた一対の第２持手部材８ａ、８ｂとを備える。第１持手部材のそれぞれの一端が、表側面に固定されており、第２持手部材のそれぞれの一端が、裏側面に固定されている。第１持手部材の一方の他端が、第１固定部材９を用いて、第１持手部材の他方の他端、又は第２持手部材の一方の他端のいずれかに着脱可能に接続されており、第２持手部材の他方の他端が、第２固定部材１０を用いて、第２持手部材の一方の他端、又は第１持手部材の他方の他端のいずれかに着脱可能に接続されており、第１持手部材、及び第２持手部材の延伸方向が変更可能に構成されている。【選択図】図３
0003232284.tif 000002
【実用新案登録請求の範囲】
【請求項１】
開口部を有し、当該開口部から内部に物品を収納可能に形成されたエコバッグ本体と、
前記エコバッグ本体の表側面に設けられた一対の第１持手部材と、
前記エコバッグ本体の裏側面に設けられた一対の第２持手部材と、を備え、
前記第１持手部材のそれぞれの一端が、前記表側面に固定されており、
前記第２持手部材のそれぞれの一端が、前記裏側面に固定されており、
前記第１持手部材の一方の他端が、第１固定部材を用いて、前記第１持手部材の他方の他端、又は前記第２持手部材の一方の他端のいずれかに着脱可能に接続されており、
前記第２持手部材の他方の他端が、第２固定部材を用いて、前記第２持手部材の一方の他端、又は前記第１持手部材の他方の他端のいずれかに着脱可能に接続されており、
前記第１持手部材、及び前記第２持手部材の延伸方向が変更可能に構成されていることを特徴とするエコバッグ。
【請求項２】
前記第１固定部材、及び第２固定部材が、面ファスナーを有することを特徴とする請求項１に記載のエコバッグ。
【考案の詳細な説明】
【技術分野】
【０００１】  本考案はエコバックに関する。より詳しくは、二つの持ち手を四つに分離し、組み合わせを変えて使用するエコバッグに関するものである。
【背景技術】
【０００２】  エコバッグの形状は、持ち手の形状により、大きく分けて二種類の形状が存在する。一方の形状のエコバッグは、持ち手が、エコバッグの開口を挟んで対向して設けられているものである。他方の形状のエコバッグは、持ち手が、エコバッグの開口を跨いで設けられているものである。【０００３】
【考案の概要】
【考案が解決しようとする課題】
【０００４】  持ち手が、エコバッグの開口を挟んで対向して設けられている形状のエコバッグでは、身体にエコバッグが当たり持ちづらい一方、肩に掛けて持つ場合は持ち易い。一方、持ち手が、エコバッグの開口を跨いで設けられている形状のエコバッグでは、肘に掛けて持つ場合は持ち易い一方、肩に掛けて持つ場合、身体にエコバッグが当たり持ちづらいといった課題があった。このように、従来のエコバッグでは、その形状により持ち易い方法で使用するか、あるいは形状違いの二種類のエコバッグを持ち、状況により使い分ける必要があった。
【課題を解決するための手段】
【０００５】  本考案に係るエコバッグは、開口部を有し、当該開口部から内部に物品を収納可能に形成されたエコバッグ本体と、前記エコバッグ本体の表側面に設けられた一対の第１持手部材と、前記エコバッグ本体の裏側面に設けられた一対の第２持手部材とを備える。前記第１持手部材のそれぞれの一端が、前記表側面に固定されており、前記第２持手部材のそれぞれの一端が、前記裏側面に固定されている。前記第１持手部材の一方の他端が、第１固定部材を用いて、前記第１持手部材の他方の他端、又は前記第２持手部材の一方の他端のいずれかに着脱可能に接続されており、前記第２持手部材の他方の他端が、第２固定部材を用いて、前記第２持手部材の一方の他端、又は前記第１持手部材の他方の他端のいずれかに着脱可能に接続されており、前記第１持手部材、及び前記第２持手部材の延伸方向が変更可能に構成されていることを特徴とする。【０００６】また、本考案に係るエコバッグでは、前記第１固定部材、及び第２固定部材が、面ファスナーを有することを特徴としてもよい。
【考案の効果】
【０００７】  本考案のエコバッグは、二つの持ち手が持ち手上部にて四つに分離可能に形成されており、分離したそれぞれの持ち手を四つの組み合わせにより接続可能に構成されている。これにより、一つのエコバックで二種類の形状での使用が可能となる。
【図面の簡単な説明】
【０００８】
【図１】本実施形態に係るエコバッグの第１持手部材を留めていない状態の表図である。
【図２】本実施形態に係るエコバッグの第２持手部材を留めていない状態の裏図である。
【図３】本実施形態に係るエコバッグの第１持手部材及び第２持手部材を留めた状態の図である。
【図４】本実施形態に係るエコバッグの第１持手部材及び第２持手部材を留めた状態の図である。
【考案を実施するための形態】
【０００９】  以下、本考案を実施するための最良の形態として、エコバッグについて、図面を参照しながら詳細に説明する。
【００１０】  図１は本考案のエコバッグ１の第１持手部材７を分離し、留めていない状態のエコバッグ本体２の表側面３を表す図である。第１持手部材７（７ａ、７ｂ）のそれぞれの一端は、表側面３の開口部近傍に固定されている。一方、第１持手部材７（７ａ、７ｂ）の他端には、着脱可能な第１固定部材９（９ａ、９ｂ）を装着している。
【００１１】  図２は本考案のエコバッグ１の第２持手部材８を分離し、留めていない状態のエコバッグ本体２の裏側面４を表す図である。第２持手部材８（８ａ、８ｂ）のそれぞれの一端は、裏側面４の開口部近傍に固定されている。一方、第２持手部材８（８ａ、８ｂ）の他端には、着脱可能な第２固定部材１０（１０ａ、１０ｂ）を装着している。
【００１２】  第１固定部材９、及び第２固定部材１０としては、例えば、面ファスナー、フック、粘着テープ、ボタン、又はクリップなどを用いることができる。
【００１３】  図３は本考案の第１持手部材７及び第２持手部材８を留めた状態の図である。第１持手部材７ａの先端（他端）、及び第１持手部材７ｂの先端（他端）を着脱可能な第１固定部材９（９ａ、９ｂ）にて接続固定している。一方、第２持手部材８ａの先端（他端）、及び第２持手部材８ｂの先端（他端）を着脱可能な第２固定部材１０（１０ａ、１０ｂ）にて接続固定している。これにより、エコバッグとして使用可能な状態になる。
【００１４】  図４は本考案の持ち手を留めた状態の図である。第１持手部材７ａの先端（他端）と第２持手部材８ａの先端（他端）を着脱可能な第１固定部材９ａ及び第２固定部材１０ａにて接続固定している。一方、第１持手部材７ｂの先端（他端）と第２持手部材８ｂの先端（他端）を着脱可能な第１固定部材９ｂ及び第２固定部材１０ｂにて接続固定している。これにより、図３とは異なる形状でのエコバッグとして使用可能な状態になる。
【００１５】  本考案のエコバッグの形状及び柄は限定されず、いかなる形状及び柄でも構わない。
【００１６】  又、本考案のエコバッグの着脱可能な固定部材の形状、形成する素材及び着脱方法は限定されず、いかなる形状、形成する素材及び着脱方法でも構わない。
【００１７】  又、本考案のエコバッグ本体の柄を施す手段は限定されず、いかなる手段でも構わない。
【符号の説明】
【００１８】１                        エコバッグ
２                        エコバッグ本体
３                        表側面
４                        裏側面
５                        側面
６                        底面
７、７ａ、７ｂ            第１持手部材
８、８ａ、８ｂ            第２持手部材
９、９ａ、９ｂ            第１固定部材
１０、１０ａ、１０ｂ      第２固定部材
【図１】
0003232284.tif 000003
【図２】
0003232284.tif 000004
【図３】
0003232284.tif 000005
【図４】
0003232284.tif 000006